(57)【特許請求の範囲】
【請求項１】
加水発熱物質を収容した自己発熱容器と、
前記自己発熱容器の上面又は上面近傍の側面に設けられ、所定量の水を収容した水収納密封容器と、
前記自己発熱容器および前記水収納密封容器を取り出し可能に収納する上部開放型容器と、
前記上部開放型容器内に設けられ、前記自己発熱容器の位置を規制する位置規制手段と、
前記上部開放型容器内の底面に設けられた穿設手段とを備え、
前記穿設手段は、上面視において前記水収納密封容器の上面内に位置し、かつ前記自己発熱容器を反転して天地逆の状態で当該上部開放型容器内に収納することにより前記穿設手段が穿設可能に前記水収納密封容器の上面に接触し、該上面に穴を穿設することを特徴とする加水発熱型の容器。
【請求項２】
前記上部開放型容器内の底面に設けられ、前記水収納密封容器の上面に対して傾斜を有する傾斜面をさらに備えたことを特徴とする請求項１に記載の加水発熱型の容器。
【請求項３】
前記穿設手段が突起部であることを特徴とする請求項１または２に記載の加水発熱型の容器。
【請求項４】
前記位置規制手段が、前記上部開放型容器内の底面に設けられた凹部であることを特徴とする請求項１〜３に記載の加水発熱型の容器。
【発明の詳細な説明】
【０００１】
【発明の属する技術分野】
本発明は、加水発熱物質を収容した自己発熱容器を、上部開放型容器内に取り出し可能に収納する加水発熱型の容器に関する。
【０００２】
【従来の技術】
従来、加水発熱型の容器として、加水発熱物質を収容した自己発熱容器を上部開放型容器内に取り出し可能に収納したものが知られている。上部開放型容器の上面には、上蓋が脱着可能に設けられる。上蓋の略中央には開口部が設けられ、その開口部は、上蓋と上部開放型容器との間に挟持された紙蓋によって塞がれる。
【０００３】
このような加水発熱型の容器においては、使用に際して、最初に上蓋および紙蓋を上部開放型容器から取り外し、次に上部開放型容器内に外部から所定量の水を流入させる。その後、上蓋を再び上部開放型容器に取り付ける。これにより、自己発熱容器内の加水発熱物質が水と反応し、薬効成分等を上蓋の開口部を介して上部開放型容器の外部に放出する。
【０００４】
【発明が解決しようとする課題】
上述した従来の加水発熱型の容器においては、外部から水を供給する際に、水を入れ過ぎてしまう場合があった。水を入れ過ぎてしまうと、薬効成分等が十分に蒸散しない等の問題が生じる。そこで、所定量の水を計量してその水を加水発熱型の容器に供給する必要があったが、このような作業は煩雑であった。
【０００５】
本発明は、上記課題にかんがみてなされたものであって、使用に際して、水の入れ過ぎ等を確実に防止することができ、かつ使い勝手が良好な加水発熱型の容器を提供することを目的としている。
【０００６】
【課題を解決するための手段】
本発明の加水発熱型の容器は、
加水発熱物質を収容した自己発熱容器と、
前記自己発熱容器の上面又は上面近傍の側面に設けられ、所定量の水を収容した水収納密封容器と、
前記自己発熱容器および前記水収納密封容器を取り出し可能に収納する上部開放型容器と、
前記上部開放型容器内に設けられ、前記自己発熱容器の位置を規制する位置規制手段と、
前記上部開放型容器内の底面に設けられた穿設手段とを備え、
前記穿設手段は、上面視において前記水収納密封容器の上面内に位置し、かつ前記自己発熱容器を反転して天地逆の状態で当該上部開放型容器内に収納することにより前記穿設手段が穿設可能に前記水収納密封容器の上面に接触し、該上面に穴を穿設することを特徴としている。
【０００７】
ここで、水収納密封容器（以下、密封容器とよぶ）が取り付けられる自己発熱容器の一方の側としては、例えば自己発熱容器が円筒形ならば、上面、上面近傍の側面、円筒を縦分割した際の側面の一区画などを挙げることができる。
そして、上部開放型容器内に設けられる穿設手段は、自己発熱容器を反転して天地逆の状態で上部開放型容器内に収納するとき以外は、密封容器に接触しないことが好ましい。
【０００８】
このような構成の加水発熱型の容器によれば、使用時に穿設手段により密封容器に穴を穿設して、所定量の水を上部開放型容器内に流入させることができるので、外部からの水の供給が不要となり、水を入れ過ぎてしまう心配がない。また、自己発熱容器を反転して上部開放型容器内に収納しない限り、密封容器に穴が穿設されることはないので、使用者が操作を誤って密封容器から不意に水を流出させてしまう心配もない。
【０００９】
また、本発明においては、前記穿設手段として、前記上部開放型容器内に設けられた突起部を採用することができる。突起部は、上部開放型容器内に、一体成型により形成してもよく、後付けによって組み付けてもよい。このように、穿設手段が突起部であれば、突起部の形成が容易であり、部品点数が少なくて済むことから、生産コストを抑制することができる。
【００１０】
また、本発明においては、前記上部開放型容器内に、前記自己発熱容器の位置を規制する位置規制手段を設けてあれば、加水発熱型の容器を輸送する際等に生じる自己発熱容器の位置ズレ・ガタツキ等を防止することができる。位置規制手段としては、例えばアルミ製のガゼットや、突起部などが挙げられる。
【００１１】
また、本発明においては、前記位置規制手段が前記上部開放型容器内に設けられた凹部であれば、別体の部品が不要となり、部品点数を一層減らすことができる。
【００１２】
加水発熱物質としては、酸化カルシウム、塩化マグネシウム、塩化アルミニウム、塩化カルシウム、酸化鉄等、水を添加するのみで発熱する物品を例示できる。鉄と硫化カリウム、硫化鉄、金属塩化物、硫酸鉄等の少なくとも１種との混合物を水及び酸素と接触させる方式、鉄よりイオン化傾向大なる金属と鉄よりイオン化傾向小なる金属のハロゲン化物との混合物を水と接触させる方式、金属と重硫酸塩との混合物を水と接触させる方式、アルミニウムとアルカリ金属硝酸塩との混合物に水を加える方式等を例示できる。
【００１３】
【発明の実施の形態】
以下、本発明に係わる実施の形態を、図面を用いて詳細に説明する。図１に示す加水発熱型の容器１においては、上部開放型容器２に、加水発熱物質を収容した円筒状の自己発熱容器３が取り出し可能に収納されている。上部開放型容器２は、防水性を有する、合成樹脂、紙、ゴム、金属、木等から形成されている。
【００１４】
上部開放型容器２の上面開口は、剥離可能な容器用シール７によって塞がれており、更に、紙蓋８および上蓋９によって被覆される。そして、上部開放型容器２の下部には、後述する密封容器４が装着される上段凹部６ａが設けられ、更に上段凹部６ａの内側には、自己発熱容器３の端部が装着される下段凹部６ｂが設けられている。上段凹部６ａの下端周縁部と下段凹部６ｂの上端周縁部とは、上部開放型容器２の底面２ａに対して角度θの傾斜を有する傾斜面６ｃによって連結されている。そして、下段凹部６ｂの上端周縁部には、突起部５が載設されている。図１における容器用シール７を剥離した際の上部開放型容器２の平面図を図２に示す。
【００１５】
図１および図２に示すように、自己発熱容器３の上部側面に、所定量の水を収容した円環状の密封容器４が離脱可能に嵌着されている。ここで、密封容器４の上面開口はフィルム１０によって塞がれている。一方、自己発熱容器３の下端は、下段凹部６ｂ内に装着されている。
【００１６】
以下、本実施形態の作用を説明する。
図１における加水発熱型の容器１の使用に際して、最初に、上蓋９及び紙蓋８を上部開放型容器２から取り外し、上部開放型容器２の上面を塞ぐ容器用シール７を剥離させる。次に、上部開放型容器２内から自己発熱容器３および自己発熱容器３に嵌着された密封容器４を取り出す。
【００１７】
次に、取り出した自己発熱容器３を反転して天地逆の状態にするとともに、上部開放型容器２内に再び収納する。このときの様子を図３に示す。同図に示すように、密封容器４が上段凹部６ａに装着されるとともに、密封容器のフィルム１０に突起部５が貫通され、密封容器４から水が流出する。この状態において、傾斜面６ｃは、密封容器のフィルム１０の面に対して傾斜を有しているので、フィルム１０の面を密閉することがない。したがって密閉容器４内の所定量の水が最後まで流出して、加水発熱が正常に行われる。
【００１８】
そして、更に自己発熱容器３を下方に押圧することで、図４に示すように、自己発熱容器３と密封容器４との嵌着状態が解除され、自己発熱容器３の端部が下段凹部６ｂ内に装着される。
【００１９】
以上のような加水発熱型の容器１においては、使用時に、突起部５により密封容器４のフィルム１０に穴を穿設して、所定量の水を上部開放型容器２内に流入させるので、水を入れ過ぎてしまう心配がない。また、傾斜面６ｃがフィルム１０の面に対して傾斜を有しているので、フィルム１０の面を密閉することがなく、密閉容器４内の水を確実に流出させることができる。そして、自己発熱容器３を反転して上部開放型容器２内に収納しない限り、フィルム１０に穴が穿設されることはないので、使用者が操作を誤って密封容器４から不意に水を流出させてしまう心配もない。
【００２０】
そして、未使用時においては、自己発熱容器３の下端が下段凹部６ｂ内に装着されているので、加水発熱型の容器１を運送する際などに生じる自己発熱容器３の位置ズレ・ガタツキ等が防止される。また、使用時においても、自己発熱容器３の端部が下段凹部６ｂ内に固定されているので、良好な安全性が得られる。
【００２１】
【発明の効果】
以上説明したように、本発明の加水発熱型の容器は、自己発熱容器の一方の側に密封容器が取り付けられるとともに、上部開放型容器内に、自己発熱容器を反転して天地逆の状態で当該上部開放型容器内に収納することにより密封容器に穴を穿設することができる穿設手段が設けられている。従って、使用時に、密封容器から所定量の水を上部開放型容器内に流入させるので、水の入れ過ぎを確実に防止することができる。また、自己発熱容器を反転して上部開放型容器内に収納しない限り、密封容器に穴が穿設されることはないので、使用者が操作を誤ることもない。
【００２２】
また本発明において、穿設手段が上部開放型容器内に設けられた突起部であれば、突起部の形成が容易であり、部品点数が少なくて済むことから生産コストを抑制することができる。
【００２３】
また本発明において、上部開放型容器内に、自己発熱容器の位置を規制する位置規制手段を設けてあれば、加水発熱型の容器を輸送する際等に生じる自己発熱容器の位置ズレ・ガタツキ等が防止される。
【００２４】
また本発明において、位置規制手段が、上部開放型容器内に設けられた凹部であれば、別体の部品が不要となり、部品点数を一層減らすことができる。
【図面の簡単な説明】
【図１】本発明の実施形態を示す概略側面図である。
【図２】本発明の実施形態を示す概略平面図である。
【図３】本発明の実施形態の作用を表わす図である。
【図４】本発明の実施形態の作用を表わす図である。
【符号の説明】
１  加水発熱型の容器
２  上部開放型容器
３  自己発熱容器
４  水収納密封容器
５  突起部（穿設手段）
６ａ  上段凹部（位置規制手段）
６ｂ  下段凹部（位置規制手段）
６ｃ  傾斜面
１０  フィルム
【図１】
0003934242.tif 000002
【図２】
0003934242.tif 000003
【図３】
0003934242.tif 000004
【図４】
0003934242.tif 000005